(57)【特許請求の範囲】
【請求項１】
コンテナターミナルの物流情報センタと荷主、集荷業者、船会社、税関などの通信相手先との間で港湾情報ネットワークを構築し、該ネットワーク内での交信のため個々のトラクタヘッドに対応してヘッド番号を付けたファイルまたはホルダを作成し、該ファイルまたはホルダには輸送しようとするコンテナ１個ごとにコンテナ番号と積荷の荷物の種類、重量、仕向地、荷主などの物流情報を保存し、トラクタヘッドにはヘッド番号を発信する無線ＩＣヘッドタグを貼付し、ターミナルゲート、ヤードクレーン、コンテナクレーンなどのコンテナターミナル内の設備に取り付けた無線アンテナと交信し、上記ヘッド番号によって上記ファイルまたはホルダを検索し、そのファイルまたはホルダからトラクタヘッドにより輸送してきたコンテナの番号とその他の必要なデータを取り出して、ファイルまたはホルダに記載されたコンテナ番号とトラクタヘッドにより実際に輸送してきたコンテナのコンテナ番号を照合して対応させることによりコンテナの管理を行うことを特徴とするコンテナターミナルにおけるコンテナの管理方法。
【請求項２】
コンテナターミナルの物流情報センタと荷主、集荷業者、船会社、税関などの通信相手先との間で港湾情報ネットワークを構築し、該ネットワーク内での交信のため個々のトラクタヘッドに対応してヘッド番号を付けたファイルまたはホルダを作成し、該ファイルまたはホルダには輸送しようとするコンテナ１個ごとにコンテナ番号と積荷の荷物の種類、重量、仕向地、荷主などの物流情報を保存し、トラクタヘッドにはヘッド番号を発信する無線ＩＣヘッドタグを貼付し、ターミナルゲート、ヤードクレーン、コンテナクレーンなどのコンテナターミナル内の設備に上記無線ＩＣヘッドタグと交信する無線アンテナを設け、上記ヘッド番号によって上記ファイルまたはホルダを検索し、そのファイルまたはホルダからトラクタヘッドにより輸送してきたコンテナの番号とその他の必要なデータを取り出して、ファイルまたはホルダに記載されたコンテナ番号とトラクタヘッドにより実際に輸送してきたコンテナのコンテナ番号を照合して対応させることによりコンテナの管理を行うようになっていることを特徴とするコンテナターミナルにおけるコンテナの管理装置。
【発明の詳細な説明】
【０００１】
【発明の属する技術分野】
本発明は、コンテナターミナルにおけるコンテナの管理装置および管理方法に係り、特にコンテナターミナル入口ゲートでのコンテナの搬出・入、コンテナヤードでのヤードクレーンによるコンテナの段積み・段卸しについて、インターネットとトラクタヘッドに取り付けた無線ＩＣヘッドタグとを組み合わせて総合的にコンテナの管理を行うコンテナターミナルにおけるコンテナの管理方法および管理装置に関するものである。
【０００２】
【従来の技術】
コンテナターミナルは、陸上輸送と海上輸送の接点に位置し、コンテナ船とトレーラ（シャーシ）などの異種輸送手段間のコンテナの積み替え等を行う。荷主は船会社から送られてきた空コンテナに荷物を積み込む。一旦コンテナに積み込まれた荷物は、個々のコンテナに付されているコンテナ番号と、コンテナに荷物を積み込むときに作成された、図６に示す伝票（コンテナ貨物搬入票）により、その荷物の種類、重量、仕向地、荷主などの属性を知ることができる。また、荷主はコンテナへ荷物の積み込みが完了すると、図５に示すように、コンテナ１の開閉扉１ｂをシール１０により施封する。荷積みされたコンテナ１はシャーシ２に載置されて、コンテナターミナルに運ばれる。コンテナターミナル入口ゲートでゲートマンがコンテナ番号と荷物の種類、重量、仕向地、荷主などをチェックする。コンテナ１がコンテナターミナル内に運ばれると、図示しないヤードクレーンによってコンテナヤードに段積みされる。岸壁でコンテナ１の船積みをする際には、図示しないコンテナクレーンによってコンテナ番号などの確認を行う。なお、反対に輸入コンテナを船卸したり輸入コンテナをコンテナヤードに段積みしたり輸入コンテナをコンテナヤードから運び出す際にもコンテナ番号などの確認を行う。また、コンテナヤードから輸入コンテナを搬出する際、トレーラのドライバはターミナル入口ゲートでゲートマンから車輌プラカードを受け取り、コンテナヤードに移動してその車輌プラカードに表示された指定の場所でコンテナを受け取る方式もある。
【０００３】
本願出願人は、コンテナターミナルゲートの自動化の一環として荷物の種類、重量、仕向地、荷主などの物流情報を記入したコンテナ貨物搬入票を無線ＩＣカード（タグ）化してコンテナ貨物搬入票によるコンテナの搬出・入手続きを無くすようにした「コンテナターミナルにおけるコンテナの搬出・入管理装置および管理方法」を特許出願した（特願平１１−３７２８９７）。
【０００４】
また、本願出願人は、コンテナターミナルゲートの自動化を推進するため、上記無線ＩＣ書類タグと無線ＩＣシールタグおよび無線ＩＣ番号タグを組み合わせて使用することによってコンテナターミナルの入口において、それらの自動読み取りを可能とした「コンテナターミナルの入口におけるコンテナの管理装置および管理方法」を案出し、特許出願した（特願２０００−２５９７６（未公開））。
【０００５】
さらに、本願出願人は、コンテナを載せるシャーシを牽引するトラクタヘッドにヘッド番号を入力した無線ＩＣヘッドタグを貼付してコンテナ運搬車両の管理を効率的に行う「コンテナ運搬車両の管理装置および管理方法」を案出し、特許出願した（特願２０００−１０３３８５（未公開））。
【０００６】
図３および図４は特願２０００−２５９７６に提示したコンテナターミナルの入口におけるコンテナの管理装置の図で、図３はその概念図、図４（Ａ）は無線アンテナの概念図、（Ｂ）はコンテナの無線ＩＣタグの概念図である。図３において、コンテナターミナルに搬入されるコンテナ（実入コンテナ）１は、前面に無線ＩＣ番号タグ７を取り付け、後方の開閉扉に無線ＩＣシールタグ１１を取り付け、トレーラ２のトラクタヘッドに荷物の種類、重量、仕向地、荷主などを入力した無線ＩＣ書類タグ１２を取り付け、トレーラ２に載置されて、コンテナターミナルに運ばれる。コンテナ１がコンテナターミナル入口ゲートに運ばれると、コンテナターミナル入口ゲートに設置された無線アンテナ９のリーダ８と無線ＩＣ番号タグ７との間で交信してコンテナ番号をチェックするとともに、無線アンテナ９のリーダ８と無線ＩＣ書類タグ１２との間で交信して荷物の種類、重量、仕向地、荷主などの物流情報をチェックしてコンピュータ１３と交信する。
【０００７】
コンテナターミナル入口ゲートでのチェックが終了すると、コンテナ１はコンテナターミナル内に運ばれて、図示しないヤードクレーンにより一旦コンテナヤードに段積貯蔵される。
【０００８】
コンテナヤードに段積貯蔵されているコンテナ１を船積みするときは、ヤードクレーンにより積み卸し、トレーラなどに載せて岸壁まで運び、図示しないコンテナクレーンにより船積みする。
【０００９】
無線アンテナ９に配設したリーダ８は、一例として、たとえば、図４（Ａ）に示すように、コイル８ａを内蔵しており、無線ＩＣ番号タグ７は、図４（Ｂ）に示すように、コイル７ａおよびＩＣ７ｂを内臓していて、ＩＣ７ｂにコンテナ番号が入力されている。無線ＩＣ番号タグ７は、常時は発信することなく、無線アンテナ９に配設されたリーダ８からの電波により電力の供給を受けて発信するようになっている。無線ＩＣ書類タグ１２も無線ＩＣ番号タグ７と同様な構造になっている。
【００１０】
【発明が解決しようとする課題】
しかしながら、以上説明したコンテナターミナルにおける管理装置および管理方法では、(１)無線ＩＣ書類タグ、無線ＩＣ番号タグ、無線ＩＣシールタグおよび無線ＩＣヘッドタグを別々に作成する必要があって繁雑である。(２)特に無線ＩＣ書類タグは情報量が多いので、無線ＩＣタグの値段が高い。(３)無線アンテナはそれぞれ別の場所に取り付けられた無線ＩＣタグと交信しなければならないので、繁雑である。また、車輌プラカードによる場合には、プラカードの受け渡しをする必要があり、手間がかかる。
【００１１】
本発明は従来技術のかかる問題点に鑑み案出したもので、トレーラによるコンテナ輸送の１回毎にネットワークに接続されたコンピュータにコンテナ番号などの物流情報を記録し、ヘッド番号を付したファイルまたはホルダを作成して保存し、一方、トラクタヘッドにはヘッド番号を発信する無線ＩＣヘッドタグを貼付し、ターミナルゲートなどに設けた無線アンテナと交信して得られたヘッド番号によりファイルまたはホルダから物流情報を取り出してチェックすることによりコンテナターミナルにおいてコンテナの管理を総合的に行うことができる、コンテナターミナルにおけるコンテナの管理方法および管理装置を提供することを目的とする。
【００１２】
【課題を解決するための手段】
上記目的を達成するため、本発明のコンテナターミナルにおけるコンテナの管理方法は、コンテナターミナルの物流情報センタと荷主、集荷業者、船会社、税関などとの間で港湾情報ネットワークを構築し、該ネットワーク内での交信のため個々のトラクタヘッドに対応してヘッド番号を付けたファイルまたはホルダ（以下、総称して「ホルダ」という）を作成し、該ホルダには輸送１回毎にコンテナ番号、積荷の物流情報などを保存し、トラクタヘッドにはヘッド番号を発信する無線ＩＣヘッドタグを貼付し、ターミナルゲート、ヤードクレーンなどに取り付けた無線アンテナと交信し、上記ヘッド番号によって上記ホルダを検索して対応させることによりコンテナの管理を行うものである。
【００１３】
また、本発明のコンテナターミナルにおけるコンテナの管理装置は、コンテナターミナルの物流情報センタと荷主、集荷業者、船会社、税関などとの間で港湾情報ネットワークを構築し、該ネットワーク内での交信のため個々のトラクタヘッドに対応してヘッド番号を付けたホルダを作成し、該ホルダには輸送１回毎にコンテナ番号や積荷の物流情報などを保存し、トラクタヘッドにはヘッド番号を発信する無線ＩＣヘッドタグを貼付し、ターミナルゲート、ヤードクレーンなどに上記無線ＩＣヘッドタグと交信する無線アンテナを設けたものである。
【００１４】
次に本発明の作用を説明する。物流情報センタにあるホストコンピュータと荷主、集荷業者、船会社、税関、陸運業者などにある端末のコンピュータとの間で港湾情報ネットワークを構築し、ネットワーク内での交信の一環として個々のトラクタヘッドの番号を付したホルダを作成し、そのホルダにはコンテナの輸送１回毎にコンテナ番号、積荷の種類、重量、仕向地、本船名、荷主名などの物流情報を保存して置く。一方、トラクタヘッドには、常時、ヘッド番号が発信可能な無線ＩＣヘッドタグを貼付して置く。コンテナターミナルのターミナルゲート、ヤードクレーンなどには上記無線ＩＣヘッドタグと交信する無線アンテナを設け、それらの無線アンテナによりヘッド番号を検知して、その情報をホストコンピュータに送る。ホストコンピュータはヘッド番号によりそのトラクタヘッドの番号を付したホルダを検索し、ホルダから必要なデータを取り出して、そのコンテナの貯蔵番地を決定してトレーラの運転手にトレーラの行き先を指示するなどしてコンテナの管理を行う。なお、ホストコンピュータはデータベースのみを管理し、必要なデータのみを端末のコンピュータにダウンロードしておき、検索や指示は端末のコンピュータにより行うようにしてもよい。
【００１５】
また、コンテナヤードのヤードクレーンと岸壁のコンテナクレーンとの間のコンテナの移動には、トラクタヘッドを使用しないで、他の搬送台車を使用する場合もあるが、その場合は、その搬送台車に無線ＩＣヘッドタグと同様のヘッドタグを貼付してもよい。なお、コンテナは、そのコンテナ番号をコンテナターミナル入口ゲートでゲートマンがチェックしてもよいし、テレビカメラに写して管理室でチェックしてもよいし、無線ＩＣカード（タグ）化して自動で読み取りを可能にしてもよい。
【００１６】
【発明の実施の形態】
以下、本発明の一実施形態について図面を参照しつつ説明する。図１は本発明のコンテナターミナルにおけるコンテナの管理装置の概念図である。図２はコンテナを載せたトレーラの側面図である。なお、図３および図４を用いて説明した特願２０００−２５９７６に提示したものと共通の部分については同じ符号を付している。図１および図２において、１はコンテナである。２はトラクタヘッド、３はシャーシで、４はトラクタヘッド２とシャーシ３とを組み合わせたトレーラである。５はトラクタヘッド２に貼付した無線ＩＣヘッドタグで、図４(Ｂ)で説明した無線ＩＣ番号タグ７と同様な構成を有していてヘッド番号を発信する無線ＩＣチップが内臓されている。２２は物流情報センタ、２３は港湾情報ネットワーク、２４は物流情報センタ内に設置されたホストコンピュータ、２５はヤードクレーン、２７は荷主、集荷業者、船会社、税関などに設置された端末コンピュータである。２６は岸壁に設けられたコンテナクレーンである。
【００１７】
コンテナターミナルの物流情報センタ２２内のホストコンピュータ２４と荷主、集荷業者、船会社、税関などに設置された端末コンピュータ２７との間で港湾情報ネットワーク２３を構築する。港湾情報ネットワーク２３は、通常の電話回線を使用してもよいし、専用回線を使用してもよい。通常の電話回線を使用する場合にはパスワードなどを使用してセキュリティを確保する。ホストコンピュータ２４で港湾情報ネットワーク２３内での相互の交信のため、使用する個々のトラクタヘッド２に対応するヘッド番号を付したホルダ２８を作成する。各ホルダ２８にはコンテナ番号、積荷の物流情報などを保有する。積荷の物流情報とは、先に説明した伝票（コンテナ貨物搬入票）などに記載されるような荷物の種類、重量、仕向地、荷主などの情報である。
【００１８】
トラクタヘッド２にはヘッド番号を発信する無線ＩＣチップを有する無線ＩＣヘッドタグ５を貼付する。ターミナルゲート、ヤードクレーン２５などには無線アンテナ９が設けられており、これらの無線アンテナ９と無線ＩＣヘッドタグ５とが交信する。無線アンテナ９は、無線ＩＣヘッドタグ５からのヘッド番号を受信し、ホストコンピュータ２４に送る。ホストコンピュータ２４は、そのヘッド番号を手がかりにその番号を付したホルダ２８を検索し、検索したホルダ２８からコンテナ番号などの必要な情報を取り出し、コンテナの貯蔵番地を決定してトレーラ２に行き先を指示するなどしてコンテナの管理を行う。無線ＩＣヘッドタグ５と無線アンテナ９との交信はターミナルゲートだけでなく、ヤードクレーン２５などでも行われて、コンテナの蔵入れ、蔵出の管理なども行う。さらに、輸出のため、コンテナターミナルから空のコンテナ１を貸し出す際または輸入コンテナ１の積荷の取り出し後に空のコンテナ１を返却する際にもターミナルゲートの無線アンテナ９と無線ＩＣヘッドタグ５との交信を行い、貸し出しまたは返却を予定したコンテナ１であることを確認する。さらに実入りの輸入コンテナ１についても、無線ＩＣヘッドタグ５によって、同様の管理を行うことができる。
【００１９】
次に本実施形態の作用を説明する。このように、物流情報センタ２２にあるホストコンピュータ２４と荷主、集荷業者、船会社、税関、陸運業者などにある端末のコンピュータ２７との間で港湾情報ネットワーク２３を構築し、ネットワーク２３内での交信の一環として個々のトラクタヘッド２の番号を付したホルダ２８を作成し、ホルダ２８には輸送１回毎にコンテナ番号、積荷の種類、重量、仕向地、本船名、荷主名などの物流情報を保存して置く。一方、トラクタヘッド２には、常時、ヘッド番号が発信可能な無線ＩＣヘッドタグ５を貼付して置く。コンテナターミナルのターミナルゲート、ヤードクレーン２５などには上記無線ＩＣヘッドタグ５と交信する無線アンテナ９を設け、それらの無線アンテナ９によりヘッド番号を検知して、その情報をホストコンピュータ２４に送る。ホストコンピュータ２４は、ヘッド番号によりそのトラクタヘッド２の番号を付したホルダを検索し、ホルダ２８から必要なデータを取り出して、そのコンテナ１の貯蔵番地を決定してトレーラ４の運転手にトレーラ４の行き先を指示するなどしてコンテナの管理を行う。なお、ホストコンピュータはデータベースのみを管理し、必要なデータのみを端末のコンピュータにダウンロードしておき、検索や指示は端末のコンピュータにより行うようにしてもよい。
【００２０】
また、コンテナヤードのヤードクレーン２５と岸壁のコンテナクレーン２６との間のコンテナ１の移動には、トラクタヘッド２を使用しないで、他の搬送台車を使用する場合もあるが、その場合は、その搬送台車に無線ＩＣヘッドタグ５と同様のヘッドタグを貼付してもよい。
【００２１】
本発明は、以上述べた実施形態に限定されるものではなく、発明の要旨を逸脱しない範囲で種々の変更が可能である。たとえば、ホストコンピュータ２４はデータベースのみを管理して必要なデータのみをターミナルゲート、ヤードクレーン２５の運転室などにある端末のコンピュータにダウンロードしておき、検索や指示は端末のコンピュータにより行うようにしてもよい。
【００２２】
【発明の効果】
以上述べたように、本発明のコンテナターミナルにおけるコンテナの管理方法および管理装置は、トレーラによるコンテナ輸送の１回毎にネットワークに接続されたコンピュータにコンテナ番号などの物流情報を記録し、ヘッド番号を付したホルダを作成して保存し、一方、トラクタヘッドにはヘッド番号を発信する無線ＩＣヘッドタグを貼付し、ターミナルゲートなどに設けた無線アンテナと交信して得られたヘッド番号によりホルダから物流情報を取り出してチェックするようにしたので、コンテナターミナルにおいてコンテナの管理を総合的に行うことができるなどの効果を奏する。
【図面の簡単な説明】
【図１】本願発明のコンテナターミナルにおけるコンテナの管理装置の概念図である。
【図２】トラクタの側面図である。
【図３】特願２０００−２５９７６に提示したコンテナターミナルの入口におけるコンテナの管理装置の概念図である。
【図４】（Ａ）は無線アンテナの概念図、（Ｂ）はコンテナの無線ＩＣタグの概念図である。
【図５】コンテナの開閉扉を施錠した状態を示す斜視図である。
【図６】コンテナ貨物搬入票である。
【符号の説明】
１      コンテナ
２      トラクタヘッド
３      シャーシ
４      トレーラ
５      無線ＩＣヘッドタグ
７      無線ＩＣ番号タグ
８      リーダ
９      無線アンテナ
１３      コンピュータ
２２      物流情報センタ
２３      情報ネットワーク
２４      ホストコンピュータ
２７      端末コンピュータ
２８      ホルダ
【図１】
0004662008.tif 000002
【図２】
0004662008.tif 000003
【図３】
0004662008.tif 000004
【図４】
0004662008.tif 000005
【図５】
0004662008.tif 000006
【図６】
0004662008.tif 000007